(57)【要約】  【課題】シャワーを浴びるときの使用者にかかる負担をできるだけ軽減できるシャワーヘッドを提供すること。  【解決手段】シャワーヘッド１は、掌に収まる大きさとしてあり、柄を設けずにそれ自体を掌で把持するようにしてある。【選択図】図１
2019017404.tif 000002
【特許請求の範囲】
【請求項１】
掌に収まる大きさとしてあり、柄を設けずにそれ自体を掌で把持するようにしてあるシャワーヘッド。
【請求項２】
横が５０〜１２０ｍｍ、縦が５０〜２００ｍｍ、厚みが１０〜５０ｍｍである請求項１に記載のシャワーヘッド。
【請求項３】
背部を横断面が凸曲面状としてある請求項１又は請求項２に記載のシャワーヘッド。
【請求項４】
正面視において、上、下部に左右への突出部を設けてある請求項１〜請求項３のいずれか１項に記載のシャワーヘッド。
【請求項５】
内部に設けられたビスを隠すためのシートカバーを背面に備えている請求項１〜請求項４のいずれか１項に記載のシャワーヘッド。
【発明の詳細な説明】
【技術分野】
【０００１】
本発明は、シャワーヘッドに関するものである。
【背景技術】
【０００２】
例えば浴室内に設置されているシャワーヘッドとして、複数の散水孔を有するヘッド部分と、ヘッド部分から下方に連設され内側に一次側通水路を有する柄とを有するものがある。
【０００３】
そして、片手の掌でシャワーヘッドを持ちながらシャワーを浴びるため最適な持ち方ができるよう種々の工夫が前記柄及び／又はヘッド部分に施されている。
【発明の概要】
【発明が解決しようとする課題】
【０００４】
しかしながら、柄を持ちながらヘッド部分を体に向けてシャワーを浴びるという動きは、片手の動き（ヘッド部分の動き）が柄を介しての動きであるので、大口径のシャワー板を備えたヘッド部分の場合、柄を持つことによりシャワーを浴びる場合の負担が片手にかかりやすいおそれがあり、このことは日常経験するところでもある。
【０００５】
そのために、ヘッド部分を持ちながらシャワーを浴びることもありうる。
【０００６】
場合によってはシャワー中に柄が体に当たることもありうる。
【０００７】
本発明は上述の事柄を考慮に入れてなされたものであり、シャワーを浴びるときの使用者にかかる負担をできるだけ軽減できるシャワーヘッドを提供することを目的としている。
【課題を解決するための手段】
【０００８】
上記目的を達成するため、本願の請求項１に係る発明は、掌に収まる大きさとしてあり、柄を設けずにそれ自体を掌で把持するようにしてあるシャワーヘッドを提供する。
【０００９】
本願の請求項２に係る発明は、横が５０〜１２０ｍｍ、縦が５０〜２００ｍｍ、厚みが１０〜５０ｍｍである請求項１に記載のシャワーヘッドを提供する。
【００１０】
本願の請求項３に係る発明は、背部を横断面が凸曲面状としてある請求項１又は請求項２に記載のシャワーヘッドを提供する。
【００１１】
本願の請求項４に係る発明は、正面視において、上、下部に左右への突出部を設けてある請求項１〜請求項３のいずれか１項に記載のシャワーヘッドを提供する。
【００１２】
本願の請求項５に係る発明は、内部に設けられたビスを隠すためのシートカバーを背面に備えている請求項１〜請求項４のいずれか１項に記載のシャワーヘッドを提供する。
【発明の効果】
【００１３】
本発明では、シャワーヘッド自体が掌で把持されることにより、片手の動きが柄を介しての動きではなくなり直接シャワーヘッドに伝わるので、シャワーを浴びる場合の使用者にかかる負担が軽減される。
【００１４】
又、例えば複数の散水孔が前部に形成されるシャワーヘッドの場合、背部から直接掌で把持しながら使用できるので、あたかも石鹸を持って体を洗う場合のように、邪魔なく体のいたる個所に自由に持っていくことができ、シャワー効果を大にできる。
【００１５】
又、背部の横断面が凸曲面状としてある場合、背部を把持している掌の表面が背部の凸曲面状の面にビッタリとなじみ密着（接触）する。
【００１６】
即ち、背部の横断面が平面等の非曲面状である場合に比べて背部と掌の密着効果を大にでき、片手とシャワーヘッドの一体感が生じて片手とシャワーヘッドを一体的に動かすことができ、シャワーヘッドを片手の動きに容易に追随できる。
【００１７】
又、正面視において、上、下部に左右への突出部を設けてある場合は、シャワーヘッドを上下作用に自在に操作しても掌が突出部に引っ掛かることで掌からシャワーヘッドが手からスベリ落ちるのを防止することができる。
【図面の簡単な説明】
【００１８】
【図１】本発明の一実施形態に係るシャワーヘッドの背部を示す斜視図である。
【図２】上記実施形態における使用状態を示す分解斜視図である。
【図３】上記実施形態における使用状態を示す斜視図である。
【発明を実施するための形態】
【００１９】
以下、本発明の実施形態について説明する。なお、それによって本発明は限定されるものではない。
【００２０】
図１〜図３は本発明の一実施形態を示す。
【００２１】
図１〜図３において、シャワーヘッド１は、掌に収まる大きさとしてあり、柄を設けずにそれ自体を掌で把持するようにしてある。シャワーヘッド１の素材はアルミニウム等の金属や陶器や合成樹脂を挙げることができる。この実施形態では浴室にシャワーヘッド１が設置されている。
【００２２】
シャワーヘッド１は、横が５０〜１２０ｍｍ、縦が５０〜２００ｍｍ、厚みが１０〜５０ｍｍである。
【００２３】
シャワーヘッド１は、背部２を横断面が凸曲面状としてあるが平坦形状でもよい。又、前部５も横断面を凸曲面状としてあるが、平坦形状でもよい。。
【００２４】
シャワーヘッド１には、上、下部に左右への突出部３を設けてあり、正面視ほぼ鼓状である。
【００２５】
更に、シャワーヘッド１は、前部５に通常のシャワーを吐水する複数の散水孔６を有している。
【００２６】
７は、シャワーヘッド１の下端中央に設けた一次側通水口で、ホース２０を介して上流側に設けた湯水混合部（図示せず）に連通しているとともに、湯水を一次側通水口７から散水孔６に通水する通水流路を形成する通水部（図示せず）がシャワーヘッド１の内部に形成されている。
【００２７】
シャワーヘッド１は背部２に、底面が凸曲面状に形成された凹所８を有する。
【００２８】
シャワーヘッド１の前部５と背部２は凹所８の前記底面の中央に形成されたビス孔に螺着するビス（図示せず）により合体されている。
【００２９】
９は、その凹所８に着脱可能に嵌込まれたビス隠し用のシートカバーで、シートカバー９側と凹所８側とにそれぞれ形成された例えばワンタッチ係止部により凹所８の前記底面に取付けられている。
【００３０】
尚、凹所８の外側を上下、左右にわたって一周するよう背部２に形成される枠部分１０の表面からシートカバー９の背部９ａの面が突き出ることのないようシートカバー９は凸曲面状に形成されているので、背部２側から掌でシャワーヘッド１を持っても凹凸がなく持ちやすい。
【００３１】
更に、シートカバー９の少なくとも前記背部９ａの面部分には滑り止め効果を発揮するよう処理がなされているが、シートカバー９自体を滑り止め効果を発揮する素材で形成してもよい。
【００３２】
よって、シートカバー９は滑り止め兼ビス隠し用の部材として機能する。
【００３３】
１１は、正面向かって右からシャワーヘッド１、吐水／止水及び流量調整並びにシャワー／カラン（図示せず）切換用の回転部材１２、温調用回転部材１３が上面１１ａに順次配置されたボックスである。
【００３４】
ボックス１１は、浴室内の壁面の適宜の高さ位置に固定レール１４を設置し、この固定レール１４にベースボックス１５の上部を引っ掛け、下部をネジ１６で固定し、サイド両パネル１７及び前面パネル１８をベースボックス１５に組付けてある。
【００３５】
又、シャワーヘッド１は、ボックス上面１１ａに穿設された保持穴に一次側通水口７を介して着脱自在に保持されている。
【００３６】
而して、流量調整回転部材１２をシャワーモードに切換えるとともに、温調用回転部材１３で湯水の温度を調整すると、複数の散水孔６からシャワー吐水する。
【００３７】
シャワーヘッド１自体が掌で把持されることにより、片手の動きが柄を介しての動きではなくなり直接シャワーヘッド１に伝わるので、シャワーを浴びる場合の使用者にかかる負担が軽減される。
【００３８】
又、背部２から直接掌で把持しながら使用できるので、邪魔なく体のいたる個所に自由に前部５を持っていくことができ、シャワー効果を大にできる。
【００３９】
又、背部２を横断面が凸曲面状としてあるので、背部２を把持している掌の表面が背部２の凸曲面状の面にビッタリとなじみ密着（接触）し、持ちやすい。
【００４０】
又、突出部３を設けてある場合は、シャワーヘッド１を上下作用に自在に操作しても掌が突出部３に引っ掛かることで掌からシャワーヘッド１が手からスベリ落ちるのを防止することができる。
【００４１】
尚、本発明は、通常のシャワーと勢いの強いストレート吐水を切り換えて体の局所に当てて神経を刺激し、血行を盛んにする指圧機能や、血行をよくし、疲労を去り、筋肉の機能を高め、神経の興奮をしずめるマッサージ機能を持つシャワーヘッドに適宜適用できる。
【００４２】
又、本発明では、シャワーヘッド１の前部５に、通常のシャワーを吐水する複数の散水孔６以外にブラシ状の部材を複数設け、使用時にシャワーだけではなく、直接ブラシ状の部材を体に当てて動かすアカスリ用に兼用してもよい。
【００４３】
又、本発明では、体を洗う石鹸等の洗浄料を混合した石鹸泡等のでるシャワーヘッドにも適用できる。
【００４４】
又、本発明では、水圧変更による指圧機能やマッサージ機能付きシャワーを吐水するシャワーヘッドにも適用できる。
【００４５】
又、本発明では、凹所８に着脱可能に嵌込まれたビス隠し用のシートカバー９に子供が興味を持つ印刷シールを取り替え可能にはりつけたりして興味をそそることにも適用できる。
【符号の説明】
【００４６】
１      シャワーヘッド
２      背部
３      突出部
【図１】
2019017404.tif 000003
【図２】
2019017404.tif 000004
【図３】
2019017404.tif 000005